(57)【要約】      （修正有）【課題】自動と手動の両方で大きな角度に調節可能な扇風機を提供する。【解決手段】扇風機は、台座１、フロントカバー２、リヤカバー及び支持部材５を含み、フロントカバーとリヤカバーが接続されてカバーとなり、リヤカバーの表面には開口が設けられ、台座には支持部材の一端が接続され、支持部材の他端が開口に置かれている。カバー内には内台座４が固定され、内台座の側面には駆動部材９が設けられ、駆動部材と支持部材の他端が可動に接続され、内台座内にはモータ６が固定され、モータには揺動アーム７を介して押圧部材８が接続され、支持部材の他端にはストッパー１０が固定され、駆動部材には接続アーム１１が接続され、押圧部材と接続アームがヒンジで接続され、ストッパーは接続アームの表面に当接している。モータの駆動により、内台座が２７０角度の範囲内で揺動するように揺動アームが接続アームを押している。【選択図】図２
0003215778.tif 000002
【実用新案登録請求の範囲】
【請求項１】
台座（１）、フロントカバー（２）、リヤカバー（３）及び支持部材（５）を含み、フロントカバー（２）とリヤカバー（３）が接続されてカバーとなり、リヤカバー（３）の表面には開口（３０１）が設けられ、台座（１）には支持部材（５）の一端が接続され、支持部材（５）の他端が開口（３０１）に置かれている大きな角度で調節可能な扇風機であって、
カバー内には内台座（４）が固定され、
内台座（４）の側面には駆動部材（９）が設けられ、
駆動部材（９）と支持部材（５）の他端が可動に接続され、
内台座（４）内にはモータ（６）が固定され、
モータ（６）には押圧部材（８）が接続され、
支持部材（５）の他端にはストッパー（１０）が固定され、
駆動部材（９）には接続アーム（１１）が接続され、
押圧部材（８）と接続アーム（１１）がヒンジで接続され、
ストッパー（１０）が接続アーム（１１）の表面に当接されている
ことを特徴とする大きな角度で調節可能な扇風機。
【請求項２】
前記モータ（６）と押圧部材（８）は揺動アーム（７）により接続されている
ことを特徴とする請求項１に記載の大きな角度で調節可能な扇風機。
【請求項３】
前記接続アーム（１１）の表面には少なくとも２つの位置決め弧部（９０１）が設けられ、
位置決め弧部（９０１）同士が接続されて位置決め凹部となり、
ストッパー（１０）が位置決め凹部に当接して設けられている
ことを特徴とする請求項１に記載の大きな角度で調節可能な扇風機。
【請求項４】
前記ストッパー（１０）内にはボール（１００１）とばねが設けられ、
ばねの一端がボール（１００１）の表面に当接され、
ボール（１００１）が位置決め凹部に置かれている
ことを特徴とする請求項３に記載の大きな角度で調節可能な扇風機。
【請求項５】
前記押圧部材（８）は弧形である
ことを特徴とする請求項１又は２に記載の大きな角度で調節可能な扇風機。
【請求項６】
前記モータ（６）と内台座（４）は、ネジで接続されている
ことを特徴とする請求項１に記載の大きな角度で調節可能な扇風機。
【請求項７】
前記内台座（４）の開口がリヤカバー（３）の内表面に向き、
リヤカバー（３）の表面には通気口が設けられている
ことを特徴とする請求項１に記載の大きな角度で調節可能な扇風機。
【考案の詳細な説明】
【技術分野】
【０００１】
本考案は具体的に扇風機の技術分野に関し、特に大きな角度で調節可能な扇風機に関する。
【背景技術】
【０００２】
現在、扇風機は主に送風して温度を下げることに用いられ、空気の流動を加速させる機能を発揮して、周辺温度を低下することを目的としている。
【０００３】
例えば、カバー、台座、ブラケット、ハウジング、羽根とモータを備え、そのブラケットの両側とハウジングとの間に揺動調節クラッチ位置決め機構が設けられている扇風機の揺動調節装置が知られている。当該機構は、ハウジングに設けられているクラッチ台と、ブラケットに設けられている角度位置決め板を備え、クラッチ台には、バネと鋼鉄玉からなるクラッチユニットが設けられ、角度位置決め板には、鋼鉄玉に合わせた複数の位置決め孔又は凹部が設けられている。上記構造には、クラッチユニットによって角度位置決めをするため、全体構造の製造が複雑になる点と、ファッション感の向上から見ると、ブラケットに設けられるとある程度に全体の美観度に影響がある点と、６５度範囲だけの調節が可能であるので全体の送風範囲が規制され且つ角度の調節は手動でしかできない点で、欠陥が存在しているので、使用が極めて不便になる。
【考案の概要】
【考案が解決しようとする課題】
【０００４】
本考案の目的は、従来技術の欠陥を解消し、角度の自動調節及び人工調節の両方が実行でき、かつ大きな角度で調節可能にして、異なるお客様のニーズを満たし、室内の温度低下効果を実現できる大きな角度で調節可能な扇風機を提供することにある。
【課題を解決するための手段】
【０００５】
本考案に記載の大きな角度で調節可能な扇風機は、台座、フロントカバー、リヤカバー及び支持部材を含み、フロントカバーとリヤカバーが接続されてカバーとなり、リヤカバーの表面には開口が設けられ、台座には支持部材の一端が接続され、支持部材の他端が開口に置かれている大きな角度で調節可能な扇風機であって、カバー内には内台座が固定され、内台座の側面には駆動部材が設けられ、駆動部材と支持部材の他端が可動に接続され、内台座内にはモータが固定され、モータには押圧部材が接続され、支持部材の他端にはストッパーが固定され、駆動部材には接続アームが接続され、押圧部材と接続アームがヒンジで接続され、ストッパーが接続アームの表面に当接されているものである。
【０００６】
具体的に、前記モータの回転軸と押圧部材は揺動アームにより接続されている。
【０００７】
具体的に、前記接続アームの表面には少なくとも２つの位置決め弧部が設けられ、位置決め弧部同士が接続されて位置決め凹部となり、ストッパーが位置決め凹部に当接して設置されている。
【０００８】
具体的に、前記ストッパー内にはボールとばねが設けられ、ばねの一端がボールの表面に当接され、ボールが位置決め凹部に置かれている。
【０００９】
具体的に、前記押圧部材は弧形を成す。
【００１０】
具体的に、前記モータと内台座は、ネジで接続されている。
【００１１】
具体的に、前記内台座の開口がリヤカバーの内表面に向き、リヤカバーの表面には通気口が設けられている。
【考案の効果】
【００１２】
本考案の有益効果として、モータで揺動アームを駆動することで、内台座が２７０角度の範囲内で揺動するように揺動アームが接続アームを押している。また、支持部材にはストッパーが固定されることで位置決めの機能が発揮され、且つモータの動作が停止されたときにもカバーの角度を人工で調節でき、上記の構成案によって角度の自動調節及び人工調節の両方が実現でき、かつ大きな角度で調節可能となり、異なるお客様のニーズを満たし、室内の温度低下効果を実現することができる。
【図面の簡単な説明】
【００１３】
【図１】本考案の実施例の構造概略図である。
【図２】ケースを除去した実施例の構造概略図である。
【図３】図２の他の実施例の構造概略図である。
【考案を実施するための形態】
【００１４】
以下、本考案の実施例を詳細に説明する。実施例は図面に示されている。そのうち、同一又は類似する符号は、常に、同一又は類似する要素あるいは同一又は類似する機能を有する要素を示している。以下、図面を参照して説明する実施例は例示のものであり、本考案を解釈するためのものだけであり、本考案を限定する意味を表していない。
【００１５】
図１〜図３に示すように、本考案の大きな角度で調節可能な扇風機は、台座１、フロントカバー２、リヤカバー３及び支持部材５を備え、フロントカバー２とリヤカバー３が接続されてカバーとなり、リヤカバー３の表面には開口３０１が設けられ、支持部材５の一端が台座１に接続され、支持部材５の他端が開口３０１内に置かれ、ここで、カバー内には内台座４が固定され、内台座４の側面には駆動部材９が設けられ、駆動部材９と支持部材５の他端が可動に接続され、内台座４内にはモータ６が固定され、モータ６には押圧部材８が接続され、支持部材５の他端にはストッパー１０が固定され、駆動部材９には接続アーム１１が接続され、押圧部材８と接続アーム１１がヒンジで接続され、ストッパー１０が接続アーム１１の表面に当接されている。本構造では、モータ６で揺動アームを駆動することで、揺動アームが接続アーム１１を一定の軌跡に沿って変位させるように押していることによって、内台座４は、２７０角度の範囲内で上下揺動することが実現された。また、支持部材５にはストッパー１０が固定されることで、位置決めの機能が発揮され、モータ６の動作が停止されたときにも、カバーの角度を人工で調節できる。そして、カバーが支持部材５において上下に角度を調節できるように、ストッパー１０と駆動部材９が協働する。上記の構成案によって角度の自動調節及び人工調節の両方が実現でき、かつ大きな角度で調節でき、異なるお客様のニーズを満たし、室内の温度低下効果を実現することができる。
【００１６】
本考案には、モータ６の回転軸と押圧部材８が揺動アーム７によって接続されていることが示されている。駆動部材９には接続アーム１１が設けられ、接続アーム１１と揺動アーム７が接続されている。接続アーム１１の表面には少なくとも２つの位置決め弧部９０１が設けられ、位置決め弧部９０１同士が接続されて位置決め凹部となり、ストッパー１０が位置決め凹部に当接されている。より具体的に、ストッパー１０内にはボール１００１とばねが設けられ、ばねの一端がボール１００１の表面に当接され、ボール１００１が位置決め凹部に置かれている。モータ６が作動しなくなるときに、ボール１００１が位置決め凹部に当接されて角度位置決めが実現される。
【００１７】
本考案には、押圧部材８が弧形になり、押圧部材８を一定の軌跡に沿って変位させるようにカバーを押して上下揺動を実現することが示されている。
【００１８】
本考案には、モータ６と内台座４がネジで接続され、モータ６を内台座４に迅速かつ容易に固定するために、ネジで接続すると同時に、モータ６の着脱が便利になることが示されている。
【００１９】
本考案には、内台座４の開口がリヤカバー３の内面に向き、リヤカバー３の表面には通気口が設けられていることが示されている。羽根が回転する時に負圧が形成され、外部の空気がリヤカバー３の通気口から取り込まれることにより、空気が内台座４に入ってモータ６を冷却してモータ６の作動時の温度を低下させる。
【００２０】
上記は、本考案の好適な実施例に過ぎず、本考案を限定するためのものではない。本考案の要旨及び原則内で行ういかなる補正、同等の取り換え又は改良は、本実用新案の請求の範囲に含まれるべきである。
【符号の説明】
【００２１】
１  台座、２  フロントカバー、３  リヤカバー、３０１  開口、４  内台座、５  支持部材、６  モータ、７  揺動アーム、８  押圧部材、９  駆動部材、９０１  位置決め弧部９０１、１０  ストッパー、１００１  ボール、１１  接続アーム。
【図１】
0003215778.tif 000003
【図２】
0003215778.tif 000004
【図３】
0003215778.tif 000005